(57)【要約】      （修正有）【課題】商品や役務を宣伝する為にカレンダーを個人宛に送付するダイレクトメールを提供する。【解決手段】カレンダーケースに複数枚のカレンダーカード９，９・・と表紙を重ね合わせて収容し、該カレンダーカード９の一部には販売する商品や提供するサービスが表記され、そして上記表紙には送り先の住所と名前を表記し、該カレンダーケースは透明なプラスチック製でケース本体２と開閉する蓋体３で構成している。【選択図】図２
0003150012.tif 000002
【実用新案登録請求の範囲】
【請求項１】
商品や役務を宣伝する為に個人宛に送付するダイレクトメールにおいて、カレンダーケースに複数枚のカレンダーカードと表紙を重ね合わせて収容し、該カレンダーカードの一部には販売する商品や提供するサービスが表記され、そして上記表紙には送先の住所と名前を表記し、該カレンダーケースは透明なプラスチック製でケース本体と蓋体で構成し、ケース本体の基部側には起立した際にカレンダーカードの下側が嵌って保持されるカード保持部を設け、蓋体はカード保持部の表板が嵌合するように基部側が切欠かれ、そして両側には側板を設けると共に基部は開閉する際に中心となって回転するようにケース本体側に軸支され、さらにケース本体を斜め後方へ傾斜して起立することが出来るストッパーを蓋体の表板両側基部に形成したことを特徴とするカレンダーを収容したダイレクトメールの形態。
【請求項２】
商品や役務を宣伝する為に個人宛に送付するダイレクトメールにおいて、カレンダーケースに複数枚のカレンダーカードと表紙を重ね合わせて収容し、該カレンダーカードの一部には販売する商品や提供するサービスが表記され、該カレンダーケースはプラスチック製でケース本体と蓋体で構成し、ケース本体の基部側には起立した際にカレンダーカードの下側が嵌って保持されるカード保持部を設け、蓋体はカード保持部の表板が嵌合するように基部側が切欠かれ、そして両側には側板を設けると共に基部は開閉する際に中心となって回転するようにケース本体側に軸支され、さらにケース本体を斜め後方へ傾斜して起立することが出来るストッパーを蓋体の表板両側基部に形成し、蓋体の表面には送先の住所と名前を表示した宛名書きシートを貼着したことを特徴とするカレンダーを収容したダイレクトメールの形態。
【請求項３】
商品や役務を宣伝する為に個人宛に送付するダイレクトメールにおいて、カレンダーケースに複数枚のカレンダーカードと表紙を重ね合わせて収容し、該カレンダーカードの一部には販売する商品や提供するサービスが表記され、該カレンダーケースはプラスチック製でケース本体と蓋体で構成し、ケース本体の基部側には起立した際にカレンダーカードの下側が嵌って保持されるカード保持部を設け、蓋体はカード保持部の表板が嵌合するように基部側が切欠かれ、そして両側には側板を設けると共に基部は開閉する際に中心となって回転するようにケース本体側に軸支され、さらにケース本体を斜め後方へ傾斜して起立することが出来るストッパーを蓋体の表板両側基部に形成し、透明封筒の表面に送先の住所と名前を表示した宛名書きシートを貼着して上記カレンダーケースを入れたことを特徴とするカレンダーを収容したダイレクトメールの形態。
【考案の詳細な説明】
【技術分野】
【０００１】
本考案は宣伝用に製作したカレンダーを収容して送付することが出来るダイレクトメールの形態に関するものである。
【背景技術】
【０００２】
近年、色々な商品の販売やサービスの提供を目的とした宣伝・広告用のダイレクトメールが流行っているが、一般には、商品の内容を記載したパンフレットやカタログなどを収容した封書形態として郵送されている。ところで、封書にて郵送されたダイレクトメールは、その大半が開封されることなくゴミ箱に廃棄される場合が珍しくなく、ダイレクトメールとしての役目が果たされない場合が多い。
【０００３】
ところで、ダイレクトメールの形態は色々あり、例えば実開平７−２３５７０号に係る「商品見本を透視可能な貼り合わせ封筒」は、商品販売を目的とするダイレクトメールにおいて商品見本を外側から透視するに適する貼り合わせ封筒としている。
すなわち、宣伝印刷物を封筒用紙として使用し、内方に折り畳み可能な紙面に接着剤層を重なり合う周縁に塗布して貼り合わせにより封筒を形成できることに着目してなされたもので、長方形状の印刷用紙からなり、１紙面が定型または非定型封筒面積を有し、その紙面が少なくとも２折りに順次折り畳み可能に連続するとともに、その折り畳み紙面の重なり合うほぼ周縁に接着剤層を帯状に形成し、折り畳んで封書として構成可能である一方、上記折り畳み紙面の宛名書面に内部が透視可能な窓部を形成し、封書形成時に該窓部に対向する紙面に商品見本を貼り付け、該貼り付け部上方を返信用葉書等として切り取り可能に構成してなる。
【０００４】
特開平８−９１３８６号に係る「封 書」は、ダイレクトメールによる商品の広告宣伝、購買勧誘媒体の内添を合理的、且つシートに変化性を付与することにより印象を高めて顧客の目を引き、購入申込率を向上させることを目的とするものである。
そこで、適宜な印刷基材上に印刷および／または可変情報をプリントした各種用途別シートを、発送人の意図通りに通読できるように、折り返し片を介して各シート同志を略平面上になるように接合させ、封書中紙として封筒内に設置し、開封時迄は封筒本体と固定している。
【０００５】
このようにダイレクトメールの形態は色々存在している。しかし、ダイレクトメールを受取った場合に、該封書が開封されて収容されているパンフレットやカタログなどに目を通すことは僅かに過ぎない。すなわち、ダイレクトメールを郵送してもその効果は上っていない場合が多い。
【特許文献１】実開平７−２３５７０号に係る「商品見本を透視可能な貼り合わせ封筒」
【特許文献２】特開平８−９１３８６号に係る「封 書」
【考案の開示】
【考案が解決しようとする課題】
【０００６】
このように、従来のダイレクトメールには上記のごとき問題がある。本考案が解決しようとする課題はこの問題点であり、必ず目に留まってダイレクトメールとしての効果を発揮することが出来るように、カレンダーと商品の広告を組み合わせたダイレクトメールの形態を提供する。
【課題を解決するための手段】
【０００７】
本考案に係るダイレクトメールの形態は、透明なカレンダーケースに複数枚のカレンダーカードを収容した形態としている。ここで、該カレンダーは各月ごとに１枚のカレンダーカードで構成され、その為に１２ヶ月分の１２枚のカードを有している。そして、各カレンダーカードの一部には販売される商品や提供するサービスが表記されている。勿論、２ヶ月分を１枚に表示する場合には該カレンダーは６枚のカレンダーカードにて構成される。
【０００８】
ところで、上記複数枚のカレンダーカードはカレンダーケースに収容されていて、該カレンダーケースのケース本体は蓋体を開いて起立することが出来る構造と成っている。すなわち、カレンダーケースはプラスチック製でケース本体と蓋体の２ピースで構成し、該蓋体は軸ピンを介して開閉可能とし、カレンダーカードはケース本体に収容されている。そして、カレンダーケースはケース本体にカードを収容した状態で蓋体を支えとして起立することが出来る。
【０００９】
複数枚のカレンダーカードから成るカレンダーは、カレンダーケースに収容されてそのまま郵送されるが、表紙をカレンダーカードの上に重ね合わせ、この表紙には送先の住所及び名前が表記されている。又、表紙に住所及び名前を表記しない場合には、カレンダーケースの蓋体表面に住所と名前を表記したシートが貼着される場合、さらには透明な封筒に住所と名前を表記したシートを貼着する場合もある。
【考案の効果】
【００１０】
本考案のダイレクトメールは、プラスチック製のカレンダーケースにカレンダーが収容されている為に、該メール便はある程度の厚みがあることから、目に留まることなくゴミ箱に廃棄されるケースは少なく、ダイレクトメールとしての効果を発揮することが出来る。そして、カレンダーは複数枚のカレンダーカードで構成され、各カレンダーカードには暦が表示がなされていると共に、販売する商品や提供するサービスが表記されている。
【００１１】
従って、このカレンダーを使用することで、カレンダーカードに表示されている商品やサービスが常に注目され、大きな広告効果を得ることが出来る。１ヶ月分を表記したカレンダーカードは１ヶ月毎に交換されるが、１２枚のカレンダーカードがあることで１年間を通して毎日広告効果を発揮する。カレンダーは一般に机などの片隅に置いて使用され、本考案のダイレクトメールされるカレンダーは自由自在な広告手段として機能する。
【実施例】
【００１２】
図１はカレンダーを収容したカレンダーケース１の外観であり、該カレンダーケース１はケース本体２と蓋体３で構成している。収容されているカレンダーは１月から１２月分のカレンダーカードから成り、さらに表紙１枚が上に重なって収容されている。蓋体３は両側に側板４，４を有し、該側板４，４の基部側には内側へ延びる軸ピン５，５が設けられ、該蓋体３は軸ピン５，５を中心として開閉することが出来る。
【００１３】
ケース本体２の基部側にはカードホルダー部６が設けられ、該カードホルダー部６はコ形断面を成している。従って、蓋体３の表板７の基部側は上記カードホルダー部６の表板部分が切欠かれている。しかも、両側は段差をもって切欠かれ、ストッパー８，８が形成されている。すなわち、図１のように蓋体３が閉じた状態では該蓋体３の表板７とカードホルダー部６の表板とは同一面を成している。
【００１４】
図２はカレンダーケース１が開いて起立した場合であり、ケース本体２には複数枚のカレンダーカード９，９・・・が収容され、これらカレンダーカード９，９・・・はカードホルダー部６に下側部が嵌って保持されている。そして、ケース本体２は斜め後方に傾斜しているが転倒しないように蓋体３にて支持され、蓋体３は基部の両側に設けている軸ピン５，５を中心として回転し、水平になって配置されると共に、ケース本体２の基部側背面がストッパー８，８に当って斜め後方に傾斜している。
【００１５】
図３は表紙１０を示す具体例であり、該表紙１０はカレンダーカード９，９・・・の上に重ね合わされ、その中央部には送先の住所１１と名前１２が表記されている。上記カレンダーケース１は透明なプラスチック製である為に、カレンダーカード９，９・・・の上に表紙１０を重ねて蓋体３を閉じた状態でも、表紙１０に表記した住所１１及び名前１２は外から見える。従って、このカレンダーケース１は蓋体３が開かないようにテープ止めすることでそのまま郵送することが可能と成る。
【００１６】
図４はカレンダーカード９を示す具体例である。このカレンダーカード９は２月分のカードであり、左上に２と表記され、各曜日の下側には日が表記されている。そして、左側には広告スペース１３が設けられ、この広告スペース１３には広告する為の商品や提供するサービスが記入される。すなわち、広告付きカレンダーカード９として構成している。
【００１７】
ところで、カレンダーは図２に示すようにカレンダーケース１のケース本体２に収容され、机の片隅に配置される。ケース本体２には１２ヶ月分のカレンダーカード９，９・・・が収容され、その為に１ヶ月にわたって同じカレンダーカード９が使用される。該カレンダーカード９の一部に設けられている広告スペース１３には商品が表示され、又は提供するサービスが表記されていることで、その宣伝・広告効果は大きい。
【００１８】
このプラスチック製のカレンダーケース１はそのまま郵送出来、又は宅配便にて送ることが出来る。従来のように商品や提供するサービスのみを記載した薄っぺらい広告パンフレットのみを郵送する場合と異なり、本考案のダイレクトメールはプラスチック製のカレンダーケース１であることから、受取った人へのインパクトがあり、そのままゴミ箱に廃棄されることは少ない。多少の人はカレンダーとしてテーブルや机の片隅において使用することに成り、その為に大きな広告効果が得られる。
【００１９】
そして、カレンダーケース１の内部にはカレンダーカード９，９・・の他に、商品のクーポン券や割引券などを同封することも可能である。又、郵送する場合に、表紙１０に住所１１及び名前１２を表記することなく、プレスチック製カレンダーケースの蓋体３の表面に住所１１及び名前１２を記入した宛名書きシートを貼着する場合もある。
【図面の簡単な説明】
【００２０】
【図１】カレンダーを収容したカレンダーケースの外観図。
【図２】カレンダーケースを開いて起立した場合。
【図３】住所及び名前を表記した表紙の具体例。
【図４】カレンダーカードの具体例。
【符号の説明】
【００２１】
１  カレンダーケース
２  ケース本体
３  蓋体
４  側板
５  軸ピン
６  カードホルダー部
７  表板
８  ストッパー
９  カレンダーカード
10  表紙
11  住所
12  名前
13  広告スペース
【図１】
0003150012.tif 000003
【図２】
0003150012.tif 000004
【図３】
0003150012.tif 000005
【図４】
0003150012.tif 000006